(57)【要約】【課題】地図データサーバに格納された地図情報を更新する際、インターネットなどにより配信される地図情報をユーザ端末や携帯電話からの投稿情報に基づいて簡単な手続きで迅速かつ円滑に更新できる地図情報更新装置および地図情報更新実行方法を提供する。【解決手段】既存の地図情報に対してユーザから提供される更新情報および投稿情報により、地図情報が更新されることから、地図情報をユーザ側からの投稿情報に基づいて簡単な手続きで迅速かつ円滑に更新可能であり、統計上の観点から投稿情報に対する真贋性の判断精度が向上する。また、ユーザが投稿情報を提供することに宣伝・広告的要素があるため、ユーザからの投稿情報を勧誘する有力手段ともなる。【選択図】図６
2014033365.tif 000002
【特許請求の範囲】
【請求項１】
双方向通信機器からの情報により地図データサーバに格納された地図情報を更新するに際して、前記双方向通信機器からの既存の地図情報に対する更新情報および該更新情報に対する真贋性についての投稿情報を受信する受信手段と、
前記受信手段が受信した前記投稿情報に基づいて前記更新情報の真贋性を見分ける情報識別手段と、
前記情報識別手段により前記更新情報に真実性があると識別した時に、前記地図データサーバ内の地図情報の更新を行う更新手段とを具備する地図情報更新装置において、
前記地図情報を前記更新情報に基づいて前記更新手段により更新する際、前記地図情報が含まれるエリアで前記双方向通信機器からのアクセスにより前記更新情報に関する施設の名称を地図上に表示するようになっており、
前記投稿情報は、前記更新情報に関する前記施設の固有の確認先コードを有しており、コード確認手段により所定の期間内に前記施設から前記確認先コードを介する確認情報の着信を確認した時に、前記情報識別手段により前記更新情報を真実の情報であると識別することを特徴とする地図情報更新装置。
【請求項２】
双方向通信機器からの情報により地図データサーバに格納された地図情報を更新するに際して、前記双方向通信機器からの既存の地図情報に対する更新情報および該更新情報に対する真贋性についての投稿情報を受信する受信手段と、
前記受信手段が受信した前記投稿情報に基づいて前記更新情報の真贋性を見分ける情報識別手段と、
前記情報識別手段により前記更新情報に真実性があると識別した時に、前記地図データサーバ内の地図情報の更新を行う更新手段とを具備する地図情報更新装置において、
前記地図情報を前記更新情報に基づいて前記更新手段により更新する際、前記地図情報が含まれるエリアで前記双方向通信機器からのアクセスにより前記更新情報に関する施設の名称を地図上に表示するようになっており、
前記投稿情報は、前記更新情報に関する前記施設の固有の確認先コードを有しており、着信確認手段により所定の期間内に前記施設から前記確認先コードを介する複数の確認情報の着信があったと確認された場合、連続して着信した三つの確認情報をｉ−１番目の確認情報、ｉ番目の確認情報およびｉ＋１番目の確認情報とすると、下記の付加関係式が最初に生じた時に、前記情報識別手段に組み込まれた乗数演算プログラム手段により前記更新情報を真実の情報であると識別することを特徴とする地図情報更新装置。
｜Ｔi ・ｆ（ｉ）−Ｔi-1 ・ｆ（ｉ−１）｜≧｜Ｔi+1 ・ｆ（ｉ＋１）−Ｔi ・ｆ（ｉ）｜
但し、Ｔi-1 はｉ−１番目の確認情報が着信するまでにかかった期間の長さ、
Ｔi はｉ番目の確認情報が着信するまでにかかった期間の長さ、
Ｔi+1 はｉ＋１番目の確認情報が着信するまでにかかった期間の長さ、
ｉは２以上の自然数（２、３、４…ｎ−１、ｎ）、
ｆ（ｉ−１）、ｆ（ｉ）およびｆ（ｉ＋１）はｆ（ｉ）＝Ｎ−ｉという付加関数から得られる値（Ｎは定数、ｉは２以上の自然数）。
【請求項３】
双方向通信機器からの情報により地図データサーバに格納された地図情報を更新するに際して、前記双方向通信機器からの既存の地図情報に対する更新情報および該更新情報に対する真贋性についての投稿情報を受信する受信手段と、
前記受信手段が受信した前記投稿情報に基づいて前記更新情報の真贋性を見分ける情報識別手段と、
前記情報識別手段により前記更新情報に真実性があると識別した時に、前記地図データサーバ内の地図情報の更新を行う更新手段とを具備する地図情報更新装置において、
前記地図情報を前記更新情報に基づいて前記更新手段により更新する際、前記地図情報が含まれるエリアで前記双方向通信機器からのアクセスにより前記更新情報に関する施設の名称を地図上に表示するようになっており、
無作為抽出手段を介して前記投稿情報の投稿件数を着信順に無作為抽出することにより、グループ区分手段を介して所定期間毎に複数グループに区分けし、連続する所定数のグループのいずれにおいても、所定期間内に前記更新情報を真実の情報とする投稿件数が、抽出演算手段により前記更新情報を贋の情報とする投稿件数を上回ったと算定された時に、前記情報識別手段により前記更新情報を真実の情報であると識別することを特徴とする地図情報更新装置。
【請求項４】
双方向通信機器からの情報により地図データサーバに格納された地図情報を更新するに際して、前記双方向通信機器からの既存の地図情報に対する更新情報および該更新情報に対する真贋性についての投稿情報を受信する受信手段と、
前記受信手段が受信した前記投稿情報に基づいて前記更新情報の真贋性を見分ける情報識別手段と、
前記情報識別手段により前記更新情報に真実性があると識別した時に、前記地図データサーバ内の地図情報の更新を行う更新手段とを具備する地図情報更新装置において、
前記地図情報を前記更新情報に基づいて前記更新手段により更新する際、前記地図情報が含まれるエリアで前記双方向通信機器からのアクセスにより前記更新情報に関する施設の名称を地図上に表示するようになっており、                    
所定期間内における前記更新情報を真実の情報とする投稿件数に着信順の連続番号を付し、着信順の連続番号に対して公差を負とする等差級数の級数項、ならびに前記更新情報を贋の情報とする投稿件数に着信順の連続番号を付し、級数演算プログラム手段により着信順の連続番号に対して公差を負とする等差級数の級数項とを設定し、真実の情報に関する前記公差は贋の情報に関する前記公差よりも大きく、ゼロ値演算手段により所定の期間内に真実の情報に関する前記等差級数の最後尾の前記級数項が先にゼロあるいは負の値となったと判断された時に、前記情報識別手段により前記更新情報を真実の情報と識別することを特徴とする地図情報更新装置。
【請求項５】
双方向通信機器からの情報により地図データサーバに格納された地図情報を更新するに際して、前記双方向通信機器からの既存の地図情報に対する更新情報および該更新情報に対する真贋性についての投稿情報を受信する受信手段と、
前記受信手段が受信した前記投稿情報に基づいて前記更新情報の真贋性を見分ける情報識別手段と、
前記情報識別手段により前記更新情報に真実性があると識別した時に、前記地図データサーバ内の地図情報の更新を行う更新手段とを具備する地図情報更新装置において、
前記地図情報を前記更新情報に基づいて前記更新手段により更新する際、前記地図情報が含まれるエリアで前記双方向通信機器からのアクセスにより前記更新情報に関する施設の名称を地図上に表示するようになっており、
前記投稿情報には、投稿者により確認先情報が着信表示され、所定値判定手段により所定の期間内に前記投稿者のうち異なる者から送信された前記確認先情報のうち共通のものが所定以上あると判定した場合、前記情報識別手段に設けた共通情報認識手段により前記更新情報を真実の情報であると識別することを特徴とする地図情報更新装置。
【請求項６】
双方向通信機器からの情報により地図データサーバに格納された地図情報を更新するに際して、前記双方向通信機器からの既存の地図情報に対する更新情報および該更新情報に対する真贋性についての投稿情報を受信する受信手段と、
前記受信手段が受信した前記投稿情報に基づいて前記更新情報の真贋性を見分ける情報識別手段と、
前記情報識別手段により前記更新情報に真実性があると識別した時に、前記地図データサーバ内の地図情報の更新を行う更新手段とを具備する地図情報更新装置において、
前記地図情報を前記更新情報に基づいて前記更新手段により更新する際、前記地図情報が含まれるエリアで前記双方向通信機器からのアクセスにより前記更新情報に関する施設の名称を地図上に表示するようになっており、
着信設定手段により、所定期間内における前記更新情報を真実の情報とする投稿件数に着信順の連続番号を付し、一般項設定プログラム手段により着信順の連続番号に対してｎ番目の一般項Ｃｎを設定するとともに、前記更新情報を贋の情報とする投稿件数に着信順の連続番号を付し、着信順の連続番号に対してｍ番目の一般項Ｃｍとを設定し、算術差判定手段により前記一般項Ｃｎと前記一般項Ｃｍとの算術差（Ｃｎ−Ｃｍ）が最初にゼロの近傍に至ったと判断された時に、前記情報識別手段により前記更新情報を真実の情報であると識別することを特徴とする地図情報更新装置。
但し、一般項Ｃｎ、Ｃｍは下記の関係を有する。
Ｃｎ＝（α）n 
Ｃｍ＝（β）m 
α＞βであり、かつ０．６＞α、β＞０．３
【請求項７】
前記更新情報は、現在の情報に加えて将来的に発生する情報を含むことを特徴とする請求項１〜請求項６のいずれか一つに記載の地図情報更新装置。
【請求項８】
前記更新情報が前記投稿情報に基づいて前記情報識別手段により真実の情報と識別された時、前記投稿情報の投稿者に対して着信順に段階的に減少する点数に変換して第１特典ポイントとするポイント変換手段と、提供された前記更新情報の画素を検出することにより算出した解像度に基づいて更新情報の画像鮮明度をピクセル単位に換算して得られた数値を第２特典ポイントとする画像解析手段とが設けられ、前記投稿者には前記第１特典ポイントが与えられ、前記更新情報の提供者には前記第２特典ポイントが与えられることを特徴とする請求項１〜請求項６のいずれか一つに記載の地図情報更新装置。
【請求項９】
双方向通信機器からの情報により地図データサーバに格納された地図情報を更新するに際して、前記双方向通信機器からの既存の地図情報に対する更新情報および該更新情報に対する真贋性についての投稿情報を受信手段により受信する受信手順と、
前記受信手順により受信した前記投稿情報に基づいて、情報識別手段により前記更新情報の真贋性を見分ける情報識別手順と、
前記情報識別手順により前記更新情報に真実性があると識別した時に、前記地図データサーバ内の地図情報の更新を更新手段により行う更新手順とを具備する地図情報更新実行方法において、
前記地図情報を前記更新情報に基づいて前記更新手順により更新する際、前記地図情報が含まれるエリアで前記双方向通信機器からのアクセスにより前記更新情報に関する施設の名称を地図上に表示するようになっており、
前記投稿情報は、前記更新情報に関する前記施設の固有の確認先コードを有しており、コード確認手段により所定の期間内に前記施設から前記確認先コードを介する確認情報の着信が確認された時に、前記情報識別手順により前記更新情報を真実の情報であると識別することを特徴とする地図情報更新実行方法。
【請求項１０】
双方向通信機器からの情報により地図データサーバに格納された地図情報を更新するに際して、前記双方向通信機器からの既存の地図情報に対する更新情報および該更新情報に対する真贋性についての投稿情報を受信手段により受信する受信手順と、
前記受信手順により受信した前記投稿情報に基づいて、情報識別手段により前記更新情報の真贋性を見分ける情報識別手順と、
前記情報識別手順により前記更新情報に真実性があると識別した時に、前記地図データサーバ内の地図情報の更新を更新手段により行う更新手順とを具備する地図情報更新実行方法において、
前記地図情報を前記更新情報に基づいて前記更新手順により更新する際、前記地図情報が含まれるエリアで前記双方向通信機器からのアクセスにより前記更新情報に関する施設の名称を地図上に表示するようになっており、
前記投稿情報は、前記更新情報に関する前記施設の固有の確認先コードを有しており、着信確認手段により所定の期間内に前記施設から前記確認先コードを介する複数の確認情報の着信があったと確認された場合、連続して着信した三つの確認情報をｉ−１番目の確認情報、ｉ番目の確認情報およびｉ＋１番目の確認情報とすると、下記の付加関係が最初に生じた時に、前記情報識別手段に組み込まれた乗数演算プログラム手段により前記更新情報を真実の情報であると識別することを特徴とする地図情報更新実行方法。
｜Ｔi ・ｆ（ｉ）−Ｔi-1 ・ｆ（ｉ−１）｜≧｜Ｔi+1 ・ｆ（ｉ＋１）−Ｔi ・ｆ（ｉ）｜
但し、Ｔi-1 はｉ−１番目の確認情報が着信するまでにかかった期間の長さ、
Ｔi はｉ番目の確認情報が着信するまでにかかった期間の長さ、
Ｔi+1 はｉ＋１番目の確認情報が着信するまでにかかった期間の長さ、
ｉは２以上の自然数（２、３、４…ｎ−１、ｎ）、
ｆ（ｉ−１）、ｆ（ｉ）およびｆ（ｉ＋１）はｆ（ｉ）＝Ｎ−ｉという付加関数から得られる値（Ｎは定数、ｉは２以上の自然数）。
【請求項１１】
双方向通信機器からの情報により地図データサーバに格納された地図情報を更新するに際して、前記双方向通信機器からの既存の地図情報に対する更新情報および該更新情報に対する真贋性についての投稿情報を受信手段により受信する受信手順と、
前記受信手順により受信した前記投稿情報に基づいて、情報識別手段により前記更新情報の真贋性を見分ける情報識別手順と、
前記情報識別手順により前記更新情報に真実性があると識別した時に、前記地図データサーバ内の地図情報の更新を更新手段により行う更新手順とを具備する地図情報更新実行方法において、
前記地図情報を前記更新情報に基づいて前記更新手順により更新する際、前記地図情報が含まれるエリアで前記双方向通信機器からのアクセスにより前記更新情報に関する施設の名称を地図上に表示するようになっており、
無作為抽出手段を介して前記投稿情報の投稿件数を着信順に無作為抽出することにより、グループ区分手段を介して複数グループに区分けし、連続する所定数のグループのいずれにおいても、所定の期間内に前記更新情報を真実の情報とする投稿件数が、抽出演算手段により前記更新情報を贋の情報とする投稿件数を上回ったと算定された時に、前記情報識別手段により前記更新情報を真実の情報であると識別することを特徴とする地図情報更新実行方法。
【請求項１２】
双方向通信機器からの情報により地図データサーバに格納された地図情報を更新するに際して、前記双方向通信機器からの既存の地図情報に対する更新情報および該更新情報に対する真贋性についての投稿情報を受信手段により受信する受信手順と、
前記受信手順により受信した前記投稿情報に基づいて、情報識別手段により前記更新情報の真贋性を見分ける情報識別手順と、
前記情報識別手順により前記更新情報に真実性があると識別した時に、前記地図データサーバ内の地図情報の更新を更新手段により行う更新手順とを具備する地図情報更新実行方法において、
前記地図情報を前記更新情報に基づいて前記更新手順により更新する際、前記地図情報が含まれるエリアで前記双方向通信機器からのアクセスにより前記更新情報に関する施設の名称を地図上に表示するようになっており、
所定期間内における前記更新情報を真実の情報とする投稿件数に着信順の連続番号を付し、着信順の連続番号に対して公差を負とする等差級数の級数項、ならびに前記更新情報を贋の情報とする投稿件数に着信順の連続番号を付し、級数設定プログラム手段により着信順の連続番号に対して公差を負とする等差級数の級数項とを設定し、真実の情報に関する前記公差は贋の情報に関する前記公差よりも大きく、ゼロ値演算手段により所定の期間内に真実の情報に関する前記等差級数の最後尾の前記級数項が先にゼロあるいは負の値と判断された時に、前記情報識別手段により前記更新情報を真実の情報であると識別することを特徴とする地図情報更新実行方法。
【請求項１３】
双方向通信機器からの情報により地図データサーバに格納された地図情報を更新するに際して、前記双方向通信機器からの既存の地図情報に対する更新情報および該更新情報に対する真贋性についての投稿情報を受信手段により受信する受信手順と、
前記受信手順により受信した前記投稿情報に基づいて、情報識別手段により前記更新情報の真贋性を見分ける情報識別手順と、
前記情報識別手順により前記更新情報に真実性があると識別した時に、前記地図データサーバ内の地図情報の更新を更新手段により行う更新手順とを具備する地図情報更新実行方法において、
前記地図情報を前記更新情報に基づいて前記更新手順により更新する際、前記地図情報が含まれるエリアで前記双方向通信機器からのアクセスにより前記更新情報に関する施設の名称を地図上に表示するようになっており、                    
前記投稿情報には、投稿者により確認先情報が着信表示され、所定値判定手段により前記投稿者のうち異なる者から送信された前記確認先情報のうち共通のものが所定以上あると判定された場合、前記情報識別手段に設けた共通情報認識手段により前記更新情報を真実の情報であると識別することを特徴とする地図情報更新実行方法。
【請求項１４】
双方向通信機器からの情報により地図データサーバに格納された地図情報を更新するに際して、前記双方向通信機器からの既存の地図情報に対する更新情報および該更新情報に対する真贋性についての投稿情報を受信手段により受信する受信手順と、
前記受信手順により受信した前記投稿情報に基づいて、情報識別手段により前記更新情報の真贋性を見分ける情報識別手順と、
前記情報識別手順により前記更新情報に真実性があると識別した時に、前記地図データサーバ内の地図情報の更新を更新手段により行う更新手順とを具備する地図情報更新実行方法において、
前記地図情報を前記更新情報に基づいて前記更新手順により更新する際、前記地図情報が含まれるエリアで前記双方向通信機器からのアクセスにより前記更新情報に関する施設の名称を地図上に表示するようになっており、
着信設定手段により、所定期間内における前記更新情報を真実の情報とする投稿件数に着信順の連続番号を付し、一般項設定プログラム手段により着信順の連続番号に対してｎ番目の一般項Ｃｎを設定するとともに、前記更新情報を贋の情報とする投稿件数に着信順の連続番号を付し、着信順の連続番号に対してｍ番目の一般項Ｃｍとを設定し、算術差判定手段により前記一般項Ｃｎと前記一般項Ｃｍとの算術差（Ｃｎ−Ｃｍ）が最初にゼロの近傍に至ったと判断された時に、前記情報識別手段により前記更新情報を真実の情報であると識別することを特徴とする地図情報更新実行方法。
但し、前記一般項Ｃｎ、Ｃｍは下記の関係を有する。
Ｃｎ＝（α）n 
Ｃｍ＝（β）m 
α＞βであり、かつ０．６＞α、β＞０．３
【請求項１５】
前記更新情報は、現在の情報に加えて将来的に発生する情報を含むことを特徴とする請求項９〜請求項１４のいずれか一つに記載の地図情報更新実行方法。
【請求項１６】
前記更新情報が前記投稿情報に基づいて前記情報識別手段により真実の情報と識別された時、前記投稿情報の投稿者に対して着信順に段階的に減少する点数に変換して第１特典ポイントとするポイント変換手段を用いる変換手順と、提供された前記更新情報の画素を検出することにより算出した解像度に基づいて更新情報の画像鮮明度をピクセル単位に換算して得られた数値を第２特典ポイントとする画像解析手段を用いる解析手順とが設けられ、前記投稿者には前記第１特典ポイントが与えられ、前記更新情報の提供者には前記第２特典ポイントが与えられることを特徴とする請求項９〜請求項１４のいずれか一つに記載の地図情報更新実行方法。
【発明の詳細な説明】
【技術分野】
【０００１】
本発明は、既存の地図情報を格納した地図データサーバ内の地図情報をユーザーからの投稿情報により新たなものに更新する地図情報更新装置および地図情報更新実行方法に関する。
【背景技術】
【０００２】
近年の情報化時代では、インターネットなどの情報技術手段を操作して、欲しい情報を逸早く得ることが可能となっている。今日では、パーソナルコンピュータなどの端末周辺装置が個人用にも広く行き渡っており、携帯端末として携帯電話などの携帯端末を用いたインターネットの利用も各家庭で広く行われている。
【０００３】
ユーザが欲する情報は、インターネットにより直ぐさま供給されるようになっており、供給されて利用可能なコンテンツも多面化・多様化している。提供情報が多面化・多様化するなかでも、車でのドライブや旅行中に、行き先や宿泊先などの情報を入手できるナビゲーション機能を有する地図情報が重宝されている（例えば、特許文献１、２参照）。
地図情報を利用して行き場所を目指す場合、近辺に所在する特徴的な建物、家屋、店舗、神社や名所旧跡などの対象物を手掛かりにしてアウトレット、商店街、娯楽施設、ホテル、旅館や宿泊地などの目的地に辿り着くことが通常である。
【０００４】
ところが、地図上の建物や店舗などは、近年の目まぐるしい情況変化により改築されたり、建て直されたりして、別の業者による営業所や施設となっていることが多い。このため、地図情報のコンテンツに係る提供業者が新しくなった建物や店舗などの建造対象物に係る情報を集めて地図情報を書き直すことが考えられる。
このため、提供作業者による地図の書き直して提供することが考えられるが、更新作業に多くの手間と長い時間とが必要となるので、地図情報の急速な変化に即応態勢で臨むことができない不都合がある。この種の更新作業では、主要な道路情報や所在駅情報など基幹情報の他に、多様な地域情報を更新範囲に盛り込むには限界があった。
これを克服しようと開発された地図情報更新方法が特許文献３に記載されている。特許文献３では、インターネットなどで配信される地図情報をユーザからの投稿情報に基づいて時宜良く地理上を更新することを可能にしている。
【先行技術文献】
【特許文献】
【０００５】
【特許文献１】特開２０１０−１０２６８５号公報
【特許文献２】特開２００４−４０３２１号公報
【特許文献３】特許第４７６４７１４号公報
【発明の概要】
【発明が解決しようとする課題】
【０００６】
特許文献１に記載された広告情報提供サーバとその移動体端末では、目的地までのルート上に存在する画像情報および広告情報を表示し、広告情報に表示された移動体の到達情報を移動体の移動に伴って補正しているが、地図情報に対する更新情報については記載されていない。
特許文献２に記載された携帯電話装置では、位置情報取得機能（ＧＳＰ機能）を備えており、操作ボタンの数字キーを移動方向表示キーとし、移動方向を検出することにより、移動方向に対応した移動方向表示キーを発光手段（２色一体型ＬＥＤ）により点灯させる。これにより、目的地までのナビゲーションを視覚的あるいは直感的に行えるようにしているが、地図情報に対する更新情報については記載されていないものである。
特許文献３の地図情報更新方法では、情報投稿者による地図情報の真偽を判断する判断手段を有し、地図情報が含まれる地域について、ユーザ端末からのアクセス数が所定以上の場合に、更新情報に係る施設の名称を地図上に表示するものと判断して更新を行っている。
この地図情報更新方法において、ユーザ端末からのアクセス数によって投稿情報の真偽を判断する手段は、統計上の観点からは一定の妥当性があるものの、真贋性の判断精度を一段と向上させるには改善の余地が残されている。
【０００７】
本発明は、上記事情に鑑みてなされたもので、その目的はインターネットなどにより配信される地図情報をユーザ側からの投稿情報に基づいて簡単な手続きで迅速かつ円滑に更新可能であり、しかも投稿情報に対する真贋性の判断精度が向上する地図情報更新装置および地図情報更新実行方法を提供することにある。
本発明の更なる目的は、既存の地図情報の更新をユーザの更新情報に基づいて行うので、商店などの店舗情報などについては、他のユーザへの広告宣伝効果が期待されることから、多くの投稿情報を促進するとともに、統計上の精度が高く、かつ詳細な地図情報の確保に繋がる地図情報更新装置および地図情報更新実行方法を提供することにある。
【課題を解決するための手段】
【０００８】
（請求項１および請求項９について）
双方向通信機器からの情報により地図データサーバに格納された地図情報を更新するに際して、受信手段としての交信系統部は、双方向通信機器からの既存の地図情報に対する更新情報および該更新情報に対する真贋性についての投稿情報を受信する。情報識別手段は、受信手段が受信した投稿情報に基づいて更新情報の真贋性を見分ける。更新手段は、情報識別手段により更新情報が真実性があると識別した時に、地図データサーバ内の地図情報の更新を行う。
地図情報を更新情報に基づいて更新手段により更新する際、地図情報が含まれるエリアで双方向通信機器からのアクセスにより更新情報に関する施設の名称を地図上に表示するようになっている。投稿情報は、更新情報に関する施設の固有の確認先コードを有しており、コード確認手段により所定の期間内に施設から確認先コードを介する確認情報の着信を確認したと判断された時に、情報識別手段により更新情報を真実の情報であると識別する。
【０００９】
請求項１および請求項９では、地図データサーバに格納された地図情報を更新する際、インターネットなどにより配信される地図情報を双方向通信機器からの投稿情報に基づいて簡単な手続きで迅速かつ円滑に更新可能となる。
この場合、投稿情報が、施設の固有の確認先コードを有しており、施設から確認先コードを介する確認情報の提供着信があるため、投稿情報に対する真贋性の判断精度が向上するものである。
また、既存の地図情報の更新をユーザの更新情報に基づいて行うので、商店などの店舗情報などについては、他のユーザへの広告宣伝効果が期待されることから、多くの投稿情報を促進するとともに、統計上の精度が高く、かつ詳細な地図情報の確保に繋がる。
【００１０】
（請求項２および請求項１０について）
双方向通信機器からの情報により地図データサーバに格納された地図情報を更新するに際して、受信手段としての交信系統部は、双方向通信機器からの既存の地図情報に対する更新情報および該更新情報に対する真贋性についての投稿情報を受信する。情報識別手段は、受信手段が受信した投稿情報に基づいて更新情報の真贋性を見分ける。更新手段は、情報識別手段により更新情報に真実性があると識別した時に、地図データサーバ内の地図情報の更新を行う。
地図情報を更新情報に基づいて更新手段により更新する際、地図情報が含まれるエリアで双方向通信機器からのアクセスにより更新情報に関する施設の名称を地図上に表示するようになっている。投稿情報は、更新情報に関する施設の固有の確認先コードを有しており、着信確認手段により所定の期間内に施設から確認先コードを介する複数の確認情報の着信があったと確認された場合、連続して着信した三つの確認情報をｉ−１番目の確認情報、ｉ番目の確認情報およびｉ＋１番目の確認情報とすると、下記の付加関係式が最初に生じた時に、情報識別手段に組み込まれた乗数演算プログラム手段により更新情報を真実の情報であると識別する。
｜Ｔi ・ｆ（ｉ）−Ｔi-1 ・ｆ（ｉ−１）｜≧  ｜Ｔi+1 ・ｆ（ｉ＋１）−Ｔi ・ｆ（ｉ）｜
但し、Ｔi-1 はｉ−１番目の確認情報が着信するまでにかかった期間の長さ、
Ｔi はｉ番目の確認情報が着信するまでにかかった期間の長さ、
Ｔi+1 はｉ＋１番目の確認情報が着信するまでにかかった期間の長さ、
ｉは２以上の自然数（２、３、４…ｎ−１、ｎ）、
ｆ（ｉ−１）、ｆ（ｉ）およびｆ（ｉ＋１）はｆ（ｉ）＝Ｎ−ｉという付加関数から得られる値（Ｎは定数、ｉは２以上の自然数）。
【００１１】
請求項２および請求項１０では、連続するｉ−１番目の確認情報およびｉ番目の確認情報について、期間の長さＴi に付加関数ｆ（ｉ）を乗じて得た値と、期間の長さＴi-1 にｆ（ｉ−１）を乗じて得た値との差である先行算術差（絶対値）は確認情報の着信速さの目安になる。また、連続するｉ番目の確認情報およびｉ＋１番目の確認情報について、期間の長さＴi に付加関数ｆ（ｉ）を乗じて得た値と、期間の長さＴi+1 にｆ（ｉ＋１）を乗じて得た値との差である後行算術差（絶対値）は確認情報の着信速さの目安になる。
いずれも絶対値である後行算術差が先行算術差よりも小さいか、あるいは等しいということは、連続する三つの確認情報の着信間隔が小さいことを推定させ、連続する三つの確認情報が集中的に着信したことを意味し、統計上の信憑性が高いと判断する。
【００１２】
また、地図データサーバに格納された地図情報を更新する際、インターネットなどにより配信される地図情報を双方向通信機器からの投稿情報に基づいて簡単な手続きで迅速かつ円滑に更新可能となる。
この場合、複数の投稿情報が、施設の固有の確認先コードを有しており、施設から確認先コードを介する複数の確認情報の提供着信が付加関係式を満たしているため、投稿情報に対する真贋性の判断精度が向上するものである。
【００１３】
（請求項３および請求項１１について）
双方向通信機器からの情報により地図データサーバに格納された地図情報を更新するに際して、受信手段としての交信系統部は、双方向通信機器からの既存の地図情報に対する更新情報および該更新情報に対する真贋性についての投稿情報を受信する。情報識別手段は、受信手段が受信した投稿情報に基づいて更新情報の真贋性を見分ける。更新手段は、情報識別手段により更新情報に真実性があると識別した時に、地図データサーバ内の地図情報の更新を行う。
地図情報を更新情報に基づいて更新手段により更新する際、地図情報が含まれるエリアで双方向通信機器からのアクセスにより更新情報に関する施設の名称を地図上に表示するようになっている。無作為抽出手段を介して投稿情報の投稿件数を着信順に無作為抽出することにより、グループ区分手段を介して所定期間毎に複数グループに区分けし、連続する所定数のグループのいずれにおいても、所定期間内に更新情報を真実の情報とする投稿件数が、抽出演算手段により更新情報を贋の情報とする投稿件数を上回ったと算定された時に、情報識別手段により更新情報を真実の情報であると識別する。
【００１４】
請求項３および請求項１１では、地図データサーバに格納された地図情報を更新する際、インターネットなどにより配信される地図情報を双方向通信機器からの投稿情報に基づいて簡単な手続きで迅速かつ円滑に更新可能となる。
この場合、投稿情報を着信順に無作為抽出し、複数グループのうち所定数のグループで真実の情報とする投稿件数が贋の情報とする投稿件数を上回った場合に更新情報を真実とするので、統計上から更新情報の真贋性を素早く判断することができる。
【００１５】
（請求項４および請求項１２について）
双方向通信機器からの情報により地図データサーバに格納された地図情報を更新するに際して、受信手段としての交信系統部は、双方向通信機器からの既存の地図情報に対する更新情報および該更新情報に対する真贋性についての投稿情報を受信する。情報識別手段は、受信手段が受信した投稿情報に基づいて更新情報の真贋性を見分ける。更新手段は、情報識別手段により更新情報に真実性があると識別した時に、地図データサーバ内の地図情報の更新を行う。
地図情報を更新情報に基づいて更新手段により更新する際、地図情報が含まれるエリアで双方向通信機器からのアクセスにより更新情報に関する施設の名称を地図上に表示するようになっている。所定期間内における更新情報を真実の情報とする投稿件数に着信順の連続番号を付し、級数設定プログラム手段により着信順の連続番号に対して公差を負とする等差級数の級数項、ならびに更新情報を贋の情報とする投稿件数に着信順の連続番号を付し、着信順の連続番号に対して公差を負とする等差級数の級数項とを設定し、真実の情報に関する公差は贋の情報に関する公差よりも大きく、ゼロ値演算手段により所定の期間内に真実の情報に関する等差級数の最後尾の級数項が先にゼロあるいは負の値となったと判断された時に、情報識別手段により更新情報を真実の情報であると識別する。
【００１６】
請求項４および請求項１２では、真実の情報に関する等差級数と贋の情報に関する等差級数のうち、真実の情報に関する等差級数の最後尾の級数項が先にゼロあるいは負の値となった場合に、情報識別手段により更新情報を真実の情報であると識別する。このため、地図データサーバに格納された地図情報を更新する際、インターネットなどにより配信される地図情報を双方向通信機器からの投稿情報に基づいて簡単な手続きで迅速かつ円滑に更新可能となる。
【００１７】
（請求項５および請求項１３について）
双方向通信機器からの情報により地図データサーバに格納された地図情報を更新するにあたって、受信手段としての交信系統部は、双方向通信機器からの既存の地図情報に対する更新情報および該更新情報に対する真贋性についての投稿情報を受信する。情報識別手段は、受信手段が受信した投稿情報に基づいて更新情報の真贋性を見分ける。更新手段は、情報識別手段により更新情報に真実性があると識別した時に、地図データサーバ内の地図情報の更新を行う。
地図情報を更新情報に基づいて更新手段により更新する際、地図情報が含まれるエリアで双方向通信機器からのアクセスにより更新情報に関する施設の名称を地図上に表示するようになっている。投稿情報には、投稿者により確認先情報が着信表示され、所定値判定手段により所定の期間内に投稿者のうち異なる者から送信された確認先情報のうち共通のものが所定以上あると確認された場合、情報識別手段に設けた共通情報認識手段により更新情報を真実の情報であると識別する。
【００１８】
請求項５および請求項１３では、地図データサーバに格納された地図情報を更新する際、インターネットなどにより配信される地図情報を双方向通信機器からの投稿情報に基づいて簡単な手続きで迅速かつ円滑に更新可能となる。
この場合、同一の確認先情報が多ければ多いほど真実性が高まるという経験則を利用し、確認先情報のうち共通のものが所定以上ある場合、更新情報を真実の情報であると識別するので、統計上から更新情報の真贋性を素早く判断することができる。
【００１９】
（請求項６および請求項１４について）
双方向通信機器からの情報により地図データサーバに格納された地図情報を更新するにあたって、受信手段としての交信系統部は、双方向通信機器からの既存の地図情報に対する更新情報および該更新情報に対する真贋性についての投稿情報を受信する。情報識別手段は、受信手段が受信した投稿情報に基づいて更新情報の真贋性を見分ける。更新手段は、情報識別手段により更新情報に真実性があると識別した時に、地図データサーバ内の地図情報の更新を行う。
地図情報を更新情報に基づいて更新手段により更新する際、地図情報が含まれるエリアで双方向通信機器からのアクセスにより更新情報に関する施設の名称を地図上に表示するようになっている。着信設定手段により、所定期間内における更新情報を真実の情報とする投稿件数に着信順の連続番号を付し、一般項設定プログラム手段により着信順の連続番号に対してｎ番目の一般項Ｃｎを設定する。
更新情報を贋の情報とする投稿件数に着信順の連続番号を付し、着信順の連続番号に対してｍ番目の一般項Ｃｍとを設定する。算術差判定手段により一般項Ｃｎと一般項Ｃｍとの算術差（Ｃｎ−Ｃｍ）が最初にゼロの近傍に至ったと判断された時に、情報識別手段により更新情報を真実の情報であると識別する。
但し、一般項Ｃｎ、Ｃｍは下記の関係を有する。
Ｃｎ＝（α）n 
Ｃｍ＝（β）m 
α＞βであり、かつ０．６＞α、β＞０．３
【００２０】
請求項６および請求項１４では、所定期間内における更新情報を真実の情報とする投稿件数に関してｎ番目の一般項Ｃｎを設定し、更新情報を贋の情報とする投稿件数に関してｍ番目の一般項Ｃｍとを設定する。
一般項Ｃｎと一般項Ｃｍとの算術差（Ｃｎ−Ｃｍ）が最初にゼロの近傍に至った時に、情報識別手段により更新情報を真実の情報であると識別する。
このため、地図データサーバに格納された地図情報を更新する際、インターネットなどにより配信される地図情報を双方向通信機器からの投稿情報に基づいて簡単な手続きで迅速かつ円滑に更新可能となる。
【００２１】
（請求項７および請求項１５について）
更新情報は、現在の情報に加えて将来的に発生する情報を含む。このため、情報を先取りして将来計画を組み立てることができるため利便性が高まる。
【００２２】
（請求項８および請求項１６について）
ポイント変換手段と画像解析手段（図示せず）とを設け、変換手順で用いられるポイント変換手段は、更新情報が投稿情報に基づいて情報識別手段により真実の情報と識別された時、投稿情報の投稿者に対して、所定数から着信順に段階的に減少する点数に変換して第１特典ポイントとする。解析手順で用いられる画像解析手段は、提供された更新情報の画素を検出することにより算出した解像度に基づいて更新情報の画像鮮明度をピクセル単位に換算して得られた数値を第２特典ポイントとする。投稿者には第１特典ポイントが送信され、更新情報の提供者には第２特典ポイントが送信され、それぞれが双方向通信機器に表示される。
【００２３】
請求項８および請求項１６では、更新情報についての投稿者には、着信順を第１特典ポイントに換算して与えられ、更新情報の提供者には更新情報の画像鮮明度に基づいて第２特典ポイントが与えられるので、更新情報についての投稿者および更新情報の提供者に投稿や提供の動機を発揚して更新情報に関する事業の発展・振興に寄与する。
【図面の簡単な説明】
【００２４】
【図１】インターネットに関するブロック構成図である（実施例１）。
【図２】地図情報更新装置を示すブロック構成図である（実施例１）。
【図３】地図への更新情報に対し、情報提供操作方法として新規の投稿情報を提供する場合のフローチャートである（実施例１）。
【図４】地図情報への更新に対して新規の投稿情報を提供する場合に用いるユーザ端末や携帯電話の表示画面を示す模式図である（実施例１）。
【図５】ユーザからの投稿情報により地図情報を更新する場合のフローチャートである（実施例１）。
【図６】情報を投稿する場合に用いるユーザ端末や携帯電話の表示画面を示す模式図である（実施例１）。
【図７】付加関係式を説明するため、確認情報に連続番号を着信順に付した図表である（実施例１の変形例）。
【図８】（ａ）は変形例の部分を示すブロック構成図（実施例１の変形例）、（ｂ）は変更部分を示すブロック構成図である（実施例２）。
【図９】（ａ）、（ｂ）は変更部分を示すブロック構成図である（実施例３、４）。
【図１０】（ａ）、（ｂ）は変更部分を示すブロック構成図（実施例５、６）。
【発明を実施するための形態】
【００２５】
本発明に係る地図情報更新装置および地図情報更新実行方法では、地図データサーバに格納された地図情報を更新する際、インターネットなどにより配信される地図情報を双方向通信機器からの投稿情報に基づいて簡単な手続きで迅速かつ円滑に更新できる構成を実施例により具体化する。
【実施例】
【００２６】
〔実施例１の構成〕
図１に示す本発明の地図情報更新装置１０は、地図データサーバ１１、ネットワーク１２、双方向通信機器（ユーザ端末１３Ａおよび携帯電話１３Ｂなど）から成る。
地図データサーバ１１は、ネットワーク１２を通じて他のコンピュータからの要求を受け、その要求を処理するコンピュータやプログラムであり、ＣＰＵ（中央演算部）１１ａ、メモリー１１ｂ、ハードディスク１１ｃ、ビデオカード１１ｄ、ＬＡＮカード１１ｅ、固定アドレス１１ｆ、ＯＳ（オペレーティングシステム）１１ｇ、制御プログラム１１ｈ、地図データ情報１１ｉおよびドライバー１１ｊを内蔵している。
【００２７】
ユーザ端末１３Ａや携帯電話１３Ｂから送信された既存の地図情報の更新に関する送信事項（更新情報および更新情報に対する投稿情報）に基づいて、地図情報更新装置１０は、地図データサーバ１１内に格納された地図情報を管理したり更新したりする。
ユーザ端末１３Ａとしては、ディスクトップ型やノート型のパーソナルコンピュータなどがあり、携帯電話１３Ｂとしては、ＰＤＡ機能や通信機能および情報表示機能を備えた携帯情報端末機器を用いてもよい。ユーザ端末１３Ａおよび携帯電話１３Ｂは、地図情報更新装置１０に対して、地図情報の更新情報を送信したり、地図情報更新装置１０から配信される地図の更新情報に対し、その情報の真贋性に係る投稿情報を送信する。
【００２８】
地図データサーバ１１は、ハードディスク１１ｃ、ＲＡＭなどの記憶媒体から構成されたもので、地図データ情報１１ｉを地図情報として格納するデータベースおよび地図情報更新装置１０との間で地図情報を送受信する通信手段としてのＬＡＮカード１１ｅと、データベースに対する制御手段としてのＯＳ１１ｇおよび制御プログラム１１ｈとを有する。
【００２９】
このため、地図データサーバ１１は、地図情報更新装置１０からのコマンド指令に応じてデータベース内の地図情報を地図情報更新装置１０に送信するとともに、更新後の地図情報を受信して元の地図情報との置き換えを行う。
電気通信回線としてのインターネットであるネットワーク１２は、地図情報更新装置１０をユーザ端末１３Ａおよび携帯電話１３Ｂに接続し、ＴＣＰ／ＩＰなどのインターネットプロトコールを介して既存の地図情報の更新情報および更新情報に対する投稿情報の交信を行う。
【００３０】
地図情報更新装置１０は、後述する受信手段１４を介してユーザ端末１３Ａや携帯電話１３Ｂから送信される地図情報の更新情報や配信された地図の更新情報への真贋性に関する投稿情報を受信する。この地図情報更新装置１０は、図２にブロック構成図で示すように、交信系統部としての受信手段１４、情報抽出収集部１５、二重投稿情報抹消部１６、情報識別手段としての情報識別部１７、地図情報更新部１８、情報制御部１９、情報配信部２０および配信情報メモリ部２１から成る。
【００３１】
既存の地図情報への更新情報および該更新情報に対する投稿情報に添えられたユーザＩＤといったユーザ識別情報を取り出すことは、情報抽出収集部１５により行われ、ユーザの識別情報を検査するとともに、受信手段１４が受信手順により受信した更新情報および投稿情報のフィルタリングを行ってゴミ情報や迷惑情報も除去するように機能する。フィルタリング後の更新情報および投稿情報を情報制御部１９に送ったり、投稿情報を二重投稿情報抹消部１６に送ったりする。
投稿情報に添えられたユーザＩＤなどのユーザ識別情報を取り出し、アップロードした同一の地図に係る更新情報に対する投稿情報のうち、同一ユーザにより複数の投稿情報が送信されている場合、二重投稿情報抹消部１６により重複する投稿情報を削除し、抹消するように機能する。
【００３２】
ユーザからの投稿情報により提供された更新情報への真贋性を識別する機能を有しているのは、地図情報更新装置１０であり、同一のユーザから作為的に提供された更新情報を直ちに真実の情報と識別することを止め、贋の更新情報に対して真実の更新情報と誤認することを阻止する。
【００３３】
投稿情報は、ユーザ端末１３Ａや携帯電話１３Ｂから収集されるため、投稿情報に基づいてアップロードした地図の更新情報に関する真贋性については、情報識別手順に従って情報識別部１７により識別する。
具体的構成として、投稿情報は、地図情報の更新情報に関する施設の固有の確認先コード（例えば、検索用情報資源としてのＵＲＬ）を有しており、施設から確認先コードを介する確認情報の着信により、情報識別部１７に組み込まれたコード確認手段（図示せず）により更新情報を真実の情報であると識別する。
【００３４】
この際、地図情報更新装置１０において、施設からの確認先コード（ＵＲＬ）の着信を確認し、アップロードした地図の更新情報を情報識別部１７が真実と識別した場合、既存の地図情報をアップロードした地図の更新情報に更新するため、アップロードした地図の更新情報を地図データサーバ１１に送信する。
情報制御部１９は、メモリー装置（図示せず）内に格納された制御プログラムに基づいて、地図情報更新装置１０の全体の作動を制御する機能を有する。
情報抽出収集部１５から送信された投稿情報と配信情報メモリ部２１内に格納された配信情報とを比較することにより、情報抽出収集部１５から送信された情報を更新情報と該更新情報に対する投稿情報とに区分けする。更新情報には、該当する地図情報を地図データサーバ１２から取得して添付する。
コード確認手段１５Ａにより所定の期間内に施設から確認先コードを介する確認情報の着信を確認したと判断された時に、情報識別部１７により更新情報を真実の情報であると識別する。
【００３５】
アップロードした地図の更新情報に対する投稿情報については、これに対応してアップロードした地図の更新情報を配信情報メモリ部２１から取得して、投稿情報を添付して情報配信部２０に送信する。
更新情報および該更新情報に対する投稿情報を地図情報のエリア毎（地域毎）に区分けして一覧表を作成し、一覧表に示された投稿情報を各地図情報に添付して情報配信部２０に送信する。
【００３６】
キーワード検索時にあっては、キーワード（例えば、「ニセコ積丹小樽海岸」、「山形県蔵王」、「薩摩半島枕崎」、「指宿温泉」「富山県射水」、「香川県屋島」、「横浜市港北区新横浜中華街５の２番地」）に対応した更新情報や該更新情報に対する投稿情報の一覧表を情報配信部２０に送信してもよい。
情報配信部２０は、情報制御部１９から受信した地図情報に更新情報および投稿情報を添付した情報をユーザ端末１３Ａや携帯電話１３Ｂに向けてネットワーク１２上にアップロードする。配信情報メモリ部２１は、情報配信部２０により配信された配信情報を格納し、地図データサーバ１１と同様な記憶媒体を有するデータベースとして機能する。
【００３７】
地図情報更新装置１０において、図３ないし図６に示すように地図情報の更新実行方法を地図情報に対する更新情報の提供方法と提供された更新情報への投稿情報の真贋性を識別して地図情報を更新する方法とに区分けして説明する。
【００３８】
地図情報の更新に係る情報提供方法において、更新手順として地図情報に対する更新情報を提供するユーザは、図３のステップＳ０１に示すようにユーザ端末１３Ａや携帯電話１３Ｂからブラウザーを起動する。
その後、ユーザは地図情報が提供されるコンテンツにアクセスし、アクセス後は、ステップＳ０２で地図情報に対する更新情報を提供しようとするエリアを表示する詳細地図をユーザ端末１３Ａや携帯電話１３Ｂの表示画面上に示す。
【００３９】
ステップＳ０３では、ユーザ端末１３Ａや携帯電話１３Ｂの表示画面上で情報を提供した地図の位置をクリックする。この地図の位置へのクリック操作に伴い、表示画面上に図４に示す画像３０が表示される。
【００４０】
ユーザは、新たに発見した施設の名称を入力し、該当する施設の種類３０Ｂをクリックする。例えば、新たな施設の名称３０Ａとして「建売住宅」、施設の種類３０Ｂとして「不動産」が挙げられる。施設の内容３０Ｃとしては、「名古屋市緑区八橋で分譲住宅販売の営業を開始しました。営業日は２０１２年６月２５日です。」といったメッセージを告示する。
施設の場所３０Ｅに関する更新情報を発見した状況を表示画面上から選択し、該当する事項をクリックする。図４では、発見した付帯状況３０Ｄとして、「ドライブや散歩中に偶然見つけた」、「通勤途中に見つけた」、「旅行中に見つけた」あるいは「知人から教わった」などの事項が挙げられる。発見状況についてのクリック操作後、ステップＳ０４で「投稿」ボタンのアイコンをクリックすることにより、ステップＳ０５で更新情報の提供操作が完了する。
【００４１】
情報の投稿方法の適用時に、アップロードされた地図の更新情報に対する情報の投稿を行うにあたっては、該投稿を行おうとするユーザは、ユーザ端末１３Ａや携帯電話１３Ｂからブラウザーを起動する。その後、ユーザは地図情報を提供するコンテンツにアクセスし、アクセス後は、図６に示すように、投稿情報を提供しようとするエリアを表示した詳細地図がユーザ端末１３Ａや携帯電話１３Ｂの表示画面４０上に示される。この状態で、地図上の所望の地点をクリックした時、その地点に更新情報および投稿情報が存在すれば、図６に示す「バルーン４０Ａ」が吹き出しとして表示される。
【００４２】
この「バルーン４０Ａ」には、更新情報として「名古屋市緑区八橋で分譲住宅販売の営業を開始しました。」という提供情報と該提供情報に対して既に送信された投稿情報が表示されている。送信された投稿情報としては、「○真実である」、「×疑わしい」、「所在位置が僅かに南西微西に寄っている」などのメッセージが付されている。
「バルーン４０Ａ」の下段部には、投稿者の意見を○、×で選択するアイコンと、この選択に対する備考欄が設けられている。
【００４３】
文字情報に加えて、画像情報を提供するユーザのために、画像情報を提供可能なアイコンを設けることにより、画像情報と目的地への案内方向を同時に表示可能なため、ルート検索を行うユーザを目的地まで高い精度で誘導可能となる。
【００４４】
この場合、情報を投稿するユーザは、「名古屋市緑区八橋で分譲住宅販売の営業を開始しました。」という更新情報に対する真贋性を「○」、「×」のアイコンで選択するとともに、文字情報および画像情報を添付して「投稿」のアイコンをクリック操作することにより情報の投稿を完了させることができる。この時、ユーザが投稿情報の入力時、その操作を誤ってしまっても、その情報の投稿が一旦行われてしまったら、修正不能となっており、真実の情報については新規に投稿する必要がある。
【００４５】
既に投稿済みの情報に対する修正を認めてしまうと、他のユーザからの投稿情報がどの段階での更新情報かが分からなくなるので、先の投稿情報と新規の投稿情報とは無関係として処理される。
【００４６】
地図情報の更新方法の適用時、地図情報更新装置１０の受信手段１４は、図５に示すステップＳ１で、地図情報への更新のために提供された更新情報および該更新情報に対する投稿情報を受信する。
【００４７】
受信後の更新情報およ投稿情報は、ステップＳ２により情報抽出収集部１５に送信される。この段階で、提供された更新情報および投稿情報に添付された氏名、名称、ユーザＩＤなどや備考欄に記載されたユーザに関する個人情報を抽出し、ステップＳ３で更新情報や投稿情報に対してフィルタリングを行う。
ステップＳ３で行われるフィルタリングでは、公序違反情報や詐称欺瞞ユーザＩＤ情報などを予め登録しておき、これらの登録事項を含む更新情報や投稿情報を照合手段（図示せず）により迷惑情報やゴミ情報として削除し、抹消する。
【００４８】
情報抽出収集部１５では、ステップＳ４でフィルタリング後の更新情報と投稿情報とを区分けする。更新情報については、ステップＳ５で該更新情報を情報制御部１９の作動により、該当する地図情報に添付され、情報配信部２０を介してネットワーク１２上に公開される。フィルタリング後の投稿情報は、情報制御部１９によりアップロードされた地図の更新情報に添付され、ステップＳ６で情報配信部２０を介してネットワーク１２上に公開される。
【００４９】
投稿情報については、所望の地図情報の表示画面上で、既往の更新情報の一覧表を閲読することもできる。この際、地理名称（地名）などのキーワードを入力して検索を行うことにより、該当する地図情報に関する更新情報の一覧表を閲読することも可能となる。
アップロードした各地図の更新情報については、情報識別部１７がステップＳ７で公開日からの経過日数を算出し、公開日から予め設定した日数を経過した情報については主要的真贋識別基準を適用する。
【００５０】
主要的真贋識別基準の適用時、投稿情報が地図情報の更新情報に関する施設の固有の確認先コード（ＵＲＬ）を有しているため、ステップＳ８で施設から確認先コードを介する確認情報の提供着信により、コード確認手段１５Ａが確認情報着信を確認して情報識別部１７により、ステップＳ９で更新情報を真実の情報であると識別した場合、地図情報更新部１８に対して地図情報に関する更新の指令を与える。
【００５１】
アップロードした特定の地図の更新情報のうち、ステップＳ８で主要的真贋識別基準を満たしていないとされた場合、副次的真贋識別基準を適用する。
副次的真贋識別基準の適用時、施設の確認先コードを用いて、ステップＳ１０で更新情報を確認した旨をユーザから一定数の投稿を得た場合、ステップＳ１１で参考事例データとして保存する。
【００５２】
副次的真贋識別基準を満たさない場合、ステップＳ１２で更新情報を抹消する。施設の確認先コードを用いた更新情報を確認した旨の投稿情報の件数が一定数を確保していないが、その件数が一定数に近接している場合、公開日数を継続延長して確定するのを待ってもよい。
【００５３】
〔実施例１の効果〕
実施例１では、地図データサーバ１１に格納された地図情報を更新する際、インターネットなどにより配信される地図情報をユーザ端末１３Ａおよび携帯電話１３Ｂからの投稿情報に基づいて簡単な手続きで迅速かつ円滑に更新可能となる。
この場合、投稿情報が、施設の固有の確認先コードを有しており、施設から確認先コードを介する確認情報の提供着信があるため、投稿情報に対する真贋性の判断精度が向上するものである。
また、既存の地図情報の更新をユーザの更新情報に基づいて行うので、商店などの店舗情報などについては、他のユーザへの広告宣伝効果が期待されることから、多くの投稿情報を促進するとともに、統計上の精度が高く、かつ詳細な地図情報の確保に繋がる。
【００５４】
〔実施例１の変形例〕
実施例１の変形例として次の構成を挙げることができる。
すなわち、図７に示すように、所定の期間内に施設から確認先コードを介する複数の確認情報の着信があった場合、連続して着信した三つの確認情報をｉ−１番目の確認情報、ｉ番目の確認情報およびｉ＋１番目の確認情報とすると、下記の付加関係式が最初に生じた時に、図８（ａ）に示す着信確認手段１５ａおよび乗数演算プログラム手段１５ｂを介して情報識別部１７に基づいて更新情報を真実の情報であると識別する。
すなわち、下記の付加関係式を最初に満足させた場合、情報識別部１７によりステップＳ９で更新情報を真実の情報であると識別し、地図情報更新部１８に対して地図情報の更新を指示する。
【００５５】
｜Ｔi ・ｆ（ｉ）−Ｔi-1 ・ｆ（ｉ−１）｜≧  ｜Ｔi+1 ・ｆ（ｉ＋１）−Ｔi ・ｆ（ｉ）｜
但し、Ｔi-1 はｉ−１番目の確認情報が着信するまでにかかった期間の長さ（例えば時間）、
Ｔi はｉ番目の確認情報が着信するまでにかかった期間の長さ（例えば時間）、
Ｔi+1 はｉ＋１番目の確認情報が着信するまでにかかった期間の長さ（例えば時間）、
ｉは２以上の自然数（２、３、４…ｎ−１、ｎ）、
ｆ（ｉ−１）、ｆ（ｉ）およびｆ（ｉ＋１）はｆ（ｉ）＝Ｎ−ｉという付加関数から得られる値（Ｎは定数、ｉは２以上の自然数）。
【００５６】
アップロードした特定の地図の更新情報について、ステップＳ８で主要的真贋識別基準を満たしていないとされた場合、副次的真贋識別基準を適用することができる。
副次的真贋識別基準の適用とは、施設の確認先コードを用いて、ステップＳ１０で更新情報を確認した旨をユーザから一定数の投稿を得ても、上述の付加関係式を完全には満たさないが、近似的には成り立つと考えられる場合、ステップＳ１１で参考事例データとして保存する。
【００５７】
副次的真贋識別基準を満たさない場合、ステップＳ１２で更新情報を抹消する。施設の確認先コードを用いた更新情報を確認した旨の投稿情報の件数が一定以上になっていないが、一定数に近接している場合、実施例１と同様に公開日数を継続延長して更新情報が確定するのを待ってもよい。
地図情報更新装置１０には、投稿情報を提供したユーザが投稿情報の現在の状況について確認することができる機能を付加してもよい。
この場合、地図情報の画面表示部に次のようなメッセージを添付する。
すなわち、「確定の手続実行中」、「地図情報として正規掲載可能です。」、「地図情報としては不確定ですので、備考事項として掲載します。」あるいは「確定できませんでしたので、掲載しません。」などの表示を載せる。
【００５８】
このメッセージの添付によりユーザからの投稿情報を促し、ユーザに投稿のインセンティブを与える利点がある。投稿情報が正規の掲載である場合、施設などのポイントデータと施設の名称などを表示し、投稿情報が備考掲載の場合、ポイントデータのみを表示する。
【００５９】
なお、ユーザへの投稿促進策として、投稿情報に関与したユーザに優遇措置として特典ポイントを与えるように構成してもよい。
さらに、更新情報は、現在の情報に加えて将来的に発生する情報を含めてもよい。この場合、情報を先取りして将来計画を組み立てることができる利便性が高まる。
【００６０】
〔実施例１の変形例の効果〕
本発明の実施例１では、連続するｉ−１番目の確認情報およびｉ番目の確認情報について、期間の長さＴi に付加関数ｆ（ｉ）を乗じて得た値と、期間の長さＴi-1 にｆ（ｉ−１）を乗じて得た値との差である先行算術差（絶対値）は確認情報の着信速さの目安になる。
また、連続するｉ番目の確認情報およびｉ＋１番目の確認情報について、期間の長さＴi に付加関数ｆ（ｉ）を乗じて得た値と、期間の長さＴi+1 にｆ（ｉ＋１）を乗じて得た値との差である後行算術差（絶対値）は確認情報の着信速さの目安になる。
【００６１】
後行算術差が先行算術差よりも小さいか、あるいは等しいということは、連続する三つの確認情報の着信間隔が小さいことを推定させ、連続する三つの確認情報が集中的に着信したことを意味し、信憑性が高いと判断する。
【００６２】
このため、実施例１では、地図データサーバに格納された地図情報を更新する際、インターネットなどにより配信される地図情報をユーザ端末１３Ａや携帯電話１３Ｂからの投稿情報に基づいて簡単な手続きで迅速かつ円滑に更新可能となる。
【００６３】
この場合、複数の投稿情報が、施設の固有の確認先コードを有しており、施設から確認先コードを介する複数の確認情報の提供着信が付加関係式を満たしているため、投稿情報に対する真贋性の判断精度が向上するものである。
また、ユーザが投稿情報を提供することに宣伝広告的要素があるため、ユーザからの投稿情報を効果的に収集できる利点がある。
【００６４】
〔実施例２の構成〕
図８（ｂ）は本発明の実施例２を示す。実施例２が実施例１と異なるところは、図５におけるステップＳ８に関する主要的真贋識別基準、ならびにステップＳ１０に関する副次的真贋識別基準に変更を加えたことである。
すなわち、実施例２の主要的真贋識別基準では、先ず、無作為抽出手段１５ｃにより投稿情報の投稿件数を着信順に無作為抽出することにより、グループ区分手段１５ｄにより所定期間毎に複数グループに区分けしている。
【００６５】
連続する所定数のグループのいずれにおいても、所定の期間内に更新情報を真実の情報とする投稿件数Ｔｇが、更新情報を贋の情報とする投稿件数Ｆｇを上回った場合（Ｔｇ＞Ｆｇ）に、情報識別部１７に設けた抽出演算手段１５ｅにより更新情報を真実の情報であると識別する。
副次的真贋識別基準では、たとえ、一つのグループにおいてでも、所定の期間内に更新情報を真実の情報とする投稿件数が、更新情報を贋の情報とする投稿件数を上回った場合は、情報識別部１７によりステップＳ１１で参考事例データとして保存する。
【００６６】
実施例２では、地図データサーバに格納された地図情報を更新する際、実施例１と同様にインターネットなどにより配信される地図情報をユーザ端末１３Ａや携帯電話１３Ｂからの投稿情報に基づいて簡単な手続きで迅速かつ円滑に更新可能となる。
また、投稿情報を着信順に無作為抽出し、複数グループのうち所定数のグループで真実の情報とする投稿件数が贋の情報とする投稿件数を上回った場合に更新情報を真実とするので、統計上の観点から更新情報の真贋性を素早く判断することができる。
【００６７】
〔実施例３の構成〕
図９（ａ）は本発明の実施例３を示す。実施例３が実施例１と異なるところは、本発明の実施例３では、図５におけるステップＳ８に関する主要的真贋識別基準、ならびにステップＳ１０に関する副次的真贋識別基準に変更を加えたことである。
すなわち、実施例３の主要的真贋識別基準では、投稿情報に投稿者による確認先情報が着信表示され、所定値判定手段１５ｆにより投稿者のうち異なる者から送信された確認先情報のうち共通のものが所定以上（例えば５件以上）あると判定された場合、共通情報認識手段１５ｇを介して情報識別部１７により更新情報を真実の情報であると識別する。
【００６８】
副次的真贋識別基準では、確認先情報のうち共通のものが、たとえ一件でもある場合は、情報識別部１７によりステップＳ１１で参考事例データとして保存する。
このように構成しても実施例１と同様な効果を奏する。
【００６９】
〔実施例４の構成〕
図９（ｂ）は本発明の実施例４を示す。実施例４が実施例１と異なるところは、図５におけるステップＳ８に関する主要的真贋識別基準、ならびにステップＳ１０に関する副次的真贋識別基準に変更を加えたことである。
級数演算プログラム手段１５ｈにより所定期間内における更新情報を真実の情報とする投稿件数に着信順の連続番号を付し、着信順の連続番号に対して公差を負とする等差級数の級数項、ならびに更新情報を贋の情報とする投稿件数に着信順の連続番号を付し、着信順の連続番号に対して公差を負とする等差級数の級数項とを設定している。
【００７０】
真実の情報に関する公差は、贋の情報に関する公差よりも大きく、ゼロ値演算手段１５ｉにより、所定の期間内に真実の情報に関する等差級数の級数項が先にゼロあるいは負の値となったと判断された時に、情報識別部１７により更新情報を真実の情報であると識別する。
副次的真贋識別基準では、所定の期間内に真実の情報に関する等差級数の級数項が予め設定した極小値の近傍に達した時に、情報識別部１７によりステップＳ１１で参考事例データとして保存する。
【００７１】
実施例４では、ゼロ値演算手段１５ｉにより、真実の情報に関する等差級数と贋の情報に関する等差級数のうち、真実の情報に関する等差級数の最後尾の級数項が先にゼロあるいは負の値となった場合に、ゼロ値演算手段１５ｉを介して情報識別部１７により更新情報を真実の情報であると識別する。
このため、地図データサーバ１１に格納された地図情報を更新する際、インターネットなどにより配信される地図情報をユーザ端末１３Ａおよび携帯電話１３Ｂからの投稿情報に基づいて簡単な手続きで迅速かつ円滑に更新可能となる。
【００７２】
ちなみに、所定の期間内における真実の情報に関する等差級数の級数項Ａｎおよび贋の情報に関する等差級数の級数項Ａｍを下記のように表すことができる。
Ａｎ＝ａ１＋（ｎ−１）ｄ１、
Ａｍ＝ａ２＋（ｍ−１）ｄ２（ａ１、ａ２は初項、ｎは真実の情報とする着信順の投稿件数の着信番号、ｍは贋の情報とする着信順の投稿件数の着信番号、ｄ１、ｄ２は公差で負の数である）。
この場合、初項ａ１、ａ２、公差ｄ１、ｄ２を情報の種類や投稿者階層などに基づいて適宜の値に設定することにより、真贋性判断に対する信頼性を向上させることが可能となる。一例として、初項ａ１を１２とし、ａ２を１５として設定し、公差ｄ１、ｄ２を−０．９〜−０．１の数値範囲に設定することが考えられる（ａ１＜ａ２、ｄ１＜ｄ２）。
【００７３】
〔実施例５の構成〕
図１０（ａ）は本発明の実施例５を示す。実施例５が実施例１と異なるところは、本発明の実施例５では、図５におけるステップＳ８に関する主要的真贋識別基準、ならびにステップＳ１０に関する副次的真贋識別基準に変更を加えたことである。
【００７４】
着信設定手段１５ｊにより、所定期間内における更新情報を真実の情報とする投稿件数に着信順の連続番号を付し、一般項設定プログラム手段１５ｋにより、着信順の連続番号に対してｎ番目の一般項Ｃｎを設定する。更新情報を贋の情報とする投稿件数に着信順の連続番号を付し、着信順の連続番号に対してｍ番目の一般項Ｃｍとを設定する。算術差判定手段１５ｍにより、一般項Ｃｎと一般項Ｃｍとの算術差（Ｃｎ−Ｃｍ）が最初にゼロの近傍に至ったと判断された時に、情報識別部１７により更新情報を真実の情報であると識別する。
【００７５】
すなわち、所定の期間内における真実の情報に関する一般項Ｃｎとし、贋の情報に関する一般項Ｃｍとして下記のような関係を設定し、一般項Ｃｎと一般項Ｃｍとの算術差（Ｃｎ−Ｃｍ）が初めてゼロの近傍に至った時に、これを情報識別部１７が検出して更新情報が真実の情報であると識別する。
Ｃｎ＝（α）n 
Ｃｍ＝（β）m 
但し、α＞βであり、かつ０．６＞α、β＞０．３
【００７６】
副次的真贋識別基準では、所定の期間内に一般項Ｃｎ、Ｃｍに関する算術差（Ｃｎ−Ｃｍ）が予め設定した極小値の近傍に達した時に、情報識別部１７によりステップＳ１１で参考事例データとして保存する。
【００７７】
実施例５では、地図データサーバ１１に格納された地図情報を更新する際、インターネットなどにより配信される地図情報をユーザ端末１３Ａおよび携帯電話１３Ｂからの投稿情報に基づいて簡単な手続きで迅速かつ円滑に更新可能となる。
【００７８】
〔実施例６の構成〕
図１０（ｂ）は本発明の実施例６を示す。実施例６が実施例１と異なるところは、本発明の実施例６では、ポイント変換手段１７ａと画像解析手段１７ｂとを設けたことである。
変換手順を行う際、ポイント変換手段１７ａは、更新情報が投稿情報に基づいて情報識別部１７により真実の情報と識別された時、投稿情報の投稿者に対して着信順に段階的に減少する点数に変換して第１特典ポイントとする。
【００７９】
解析手順を行う際、画像解析手段１７ｂは、提供された更新情報の画素を検出することにより算出した解像度に基づいて更新情報の画像鮮明度をピクセル単位に換算して得られた数値を第２特典ポイントとする。
投稿者には第１特典ポイントが送信され、更新情報の提供者には第２特典ポイントが送信され、それぞれがユーザ端末１３Ａや携帯電話１３Ｂに表示される。
【００８０】
実施例６では、更新情報についての投稿者には、着信順を第１特典ポイントに換算して与えられ、更新情報の提供者には更新情報の画像鮮明度に基づいて第２特典ポイントが与えられるので、更新情報についての投稿者および更新情報の提供者に投稿や提供の動機を発揚して更新情報に関する事業の発展・振興に寄与する。
【産業上の利用可能性】
【００８１】
本発明の地図情報更新装置および地図情報更新実行方法では、地図情報を更新情報に基づいて更新手段により更新する際、地図情報が含まれるエリアで双方向通信機器からのアクセス回数に応じて更新情報に関する施設の名称を地図上に表示する。インターネットなどの電気通信回路を介して地図情報の更新が行なわれるため、新たな地図情報を必要とする業者の需要を喚起し、地図情報に関連する情報産業（電子・通信・機械産業）に適用することができる。
【符号の説明】
【００８２】
１０    地図情報更新装置
１１    地図データサーバ
１２    ネットワーク
１３Ａ  ユーザ端末（双方向通信機器）
１３Ｂ  携帯電話（双方向通信機器）
１４    受信手段（交信系統部）
１５    情報抽出収集部
１５Ａ  コード確認手段
１５ａ  着信確認手段
１５ｂ  乗数演算プログラム手段
１５ｃ  無作為抽出手段
１５ｄ  グループ区分手段
１５ｅ  抽出演算手段
１５ｆ  所定値判定手段
１５ｇ  共通情報認識手段
１５ｈ  級数演算プログラム手段
１５ｉ  ゼロ値演算手段
１５ｊ  着信設定手段
１５ｋ  一般項設定プログラム手段
１５ｍ  算術差判定手段
１６    二重投稿情報抹消部
１７    情報識別部（情報識別手段）
１７ａ  ポイント変換手段
１７ｂ  画像解析手段
１８    地図情報更新部
１９    情報制御部
２０    情報配信部                                  
２１    配信情報メモリ部
【図１】
2014033365.tif 000003
【図２】
2014033365.tif 000004
【図３】
2014033365.tif 000005
【図４】
2014033365.tif 000006
【図５】
2014033365.tif 000007
【図６】
2014033365.tif 000008
【図７】
2014033365.tif 000009
【図８】
2014033365.tif 000010
【図９】
2014033365.tif 000011
【図１０】
2014033365.tif 000012